(57)【要約】  【課題】  部品点数を削減し、製造を容易にできる携帯端末装置を提供する。  【解決手段】  携帯端末装置１は、ケース３と、ケース３に備えられた主基板１１と、主基板１１と別にケース３に備えられた通信基板２１とを備えている。シールド板５１が、主基板１１の被シールド領域５３を覆うようにケース３の内面に備えられている。シールド板５１は、主基板１１のグランド部に接続される主基板グランド接続部５７と、通信基板２１のグランド部に接続される通信基板グランド接続部７３とを有している。通信基板グランド接続部７３は、シールド板５１から通信基板２１に向けて延びて通信基板２１を押圧する板ばね片で構成されている。さらに、通信基板２１にカード装着部２７が備えられており、シールド板５１の端部が通信基板２１へ向けて屈曲してカード滑走板６９を形成している。【選択図】  図１
2006319854.tif 000002
【特許請求の範囲】
【請求項１】
ケースと、前記ケースに備えられた主基板と、前記主基板と別に前記ケースに備えられ通信装置が搭載される通信基板と、前記主基板の被シールド領域を覆うように前記ケースの内面に備えられたシールド板とを備え、前記シールド板は、前記主基板のグランド部に接続される主基板グランド接続部と、前記通信基板のグランド部に接続される通信基板グランド接続部とを有しており、前記通信基板グランド接続部は、前記シールド板から前記通信基板に向けて延びて前記通信基板を押圧する板ばね片で構成されていることを特徴とする携帯端末装置。
【請求項２】
前記通信基板が、前記シールド板側にカード型記録媒体のカード装着口を有するカード装着部を備えており、前記シールド板の前記通信基板側の端部が前記通信基板へ向けて屈曲して、前記カード型記録媒体が前記カード装着口へ向けて滑走するカード滑走板を前記カード装着口の手前に形成していることを特徴とする請求項１に記載の携帯端末装置。
【請求項３】
前記ケースが前記カード装着口部分にカードゲート壁を有しており、前記シールド板が前記カード滑走板とシールド領域の間に前記カードゲート壁に沿ったカバー保持壁部を有しており、前記カバー保持壁部と前記カードゲート壁の間にカードゲートカバーが挟まれており、前記カードゲートカバーの端部が前記カバー保持壁部に設けられたスリットに係合していることを特徴とする請求項２に記載の携帯端末装置。
【請求項４】
前記ケースの外面にケースカバーで覆われ前記カードゲート壁で仕切られた電池収納部と通信基板収納部が並んで設けられており、前記電池収容部から前記カード型記録媒体を挿入するように前記カードゲート壁にカードゲートが設けられており、前記ケースの前記電池収容部の裏側に前記シールド板が取り付けられており、前記ケースの前記カードゲート壁に隣接した開口を通って前記通信基板グランド接続部が前記通信基板に延びていることを特徴とする請求項３に記載の携帯端末装置。
【請求項５】
前記通信装置のアンテナが前記シールド板と反対に位置するように前記通信装置が前記通信基板に搭載されることを特徴とする請求項１ないし４のいずれかに記載の携帯端末装置。
【請求項６】
ケースと、前記ケースに備えられた主基板と、前記主基板と別に前記ケースに備えられ通信装置が搭載される通信基板とを備えた携帯端末装置に備えられ、前記主基板の被シールド領域を覆うように前記ケースの内面に取り付けられるシールド板であって、
前記主基板のグランド部に接続される主基板グランド接続部と、前記通信基板のグランド部に接続される通信基板グランド接続部とを有しており、前記通信基板グランド接続部が、前記通信基板に向けて延びて前記通信基板を押圧する板ばね片で構成されていることを特徴とするシールド板。
【発明の詳細な説明】
【技術分野】
【０００１】
本発明は、通信カード等を装着可能な携帯端末装置に関する。
【背景技術】
【０００２】
従来、携帯端末装置が各種の用途に用いられており、例えば、宅配便の業務でも携帯端末装置が使用されて、業務効率の向上に寄与している。近年は、携帯端末装置がさらに多機能化し、主基板に加えて通信基板を備えた携帯端末装置が用いられている。通信基板には通信装置が搭載される。通信装置は、典型的には、携帯電話等の通信機能を持った通信カードである。さらに、携帯端末装置には、メモリーカード等のカード型記録媒体も装着される。
【０００３】
このような携帯端末装置では、主基板上のＣＰＵ等のノイズの通信への影響を避けるために、主基板にシールドが施される。また、通信基板のグランドと主基板のグランドを接続する必要がある。また、カード型記録媒体を装着するときの静電気による故障を避けるため、カード型記録媒体をコネクタ装着前にグランドに接触する構造が設けられる。また、カード型記録媒体の装着口が電池収納部の壁部に設けられ、電池によってカード抜けが防止されている。
【０００４】
シールド構造に関しては、従来は蒸着等によって金属皮膜がケースに形成される。また、シールド板をケース内面に接着することが提案されている（特許文献１）。
【特許文献１】特開２００４−３１５３８号公報（第４−５ページ、図１）
【発明の開示】
【発明が解決しようとする課題】
【０００５】
しかしながら、従来の携帯端末装置においては、上記のような各種の構造のために別々の部品が設けられている。すなわち、シールド構造、通信基板のグランド接続構造および記録媒体装着時の静電気対策構造が、別々の部品で実現されている。そのため、部品点数が多く、それら部品を別々に用意するために手間もかかるという問題があった。
【０００６】
また、カード型記録媒体の装着口が電池収納部の壁部に設けられ、電池によってカード抜けが防止されている。そのため、電池が頻繁に脱着されると装着口の露出する機会が多くなり、埃等が進入して接触不良が生じる可能性がある。
【０００７】
本発明は、従来の問題を解決するためになされたもので、その目的は、部品点数を削減し、製造を容易にできる携帯端末装置を提供することにある。
【課題を解決するための手段】
【０００８】
本発明の携帯端末装置は、ケースと、前記ケースに備えられた主基板と、前記主基板と別に前記ケースに備えられ通信装置が搭載される通信基板と、前記主基板の被シールド領域を覆うように前記ケースの内面に備えられたシールド板とを備え、前記シールド板は、前記主基板のグランド部に接続される主基板グランド接続部と、前記通信基板のグランド部に接続される通信基板グランド接続部とを有しており、前記通信基板グランド接続部は、前記シールド板から前記通信基板に向けて延びて前記通信基板を押圧する板ばね片で構成されている。
【０００９】
この構成により、シールド基板から延びる板ばね部分で構成された通信基板グランド接続部を設け、この板ばね部分を通信基板のグランド部に接続したことにより、通信基板のグランド接続構造がシールド基板によって実現され、これにより、部品点数を削減し、製造を容易にできる。
【００１０】
また、本発明の携帯端末装置では、前記通信基板が、前記シールド板側にカード型記録媒体のカード装着口を有するカード装着部を備えており、前記シールド板の前記通信基板側の端部が前記通信基板へ向けて屈曲して、前記カード型記録媒体が前記カード装着口へ向けて滑走するカード滑走板を前記カード装着口の手前に形成している。
【００１１】
この構成により、カード滑走板がシールド板に設けられ、カード型記録媒体がカード滑走板にガイドされる。また、カード型記録媒体が、装着直前にシールド板に接触し、これにより静電気による故障が防止される。カードガイド構造および静電気による故障の防止構造がシールド板によって実現されるので、部品点数を削減し、製造を容易にできる。
【００１２】
また、本発明の携帯端末装置では、前記ケースが前記カード装着口部分にカードゲート壁を有しており、前記シールド板が前記カード滑走板とシールド領域の間に前記カードゲート壁に沿ったカバー保持壁部を有しており、前記カバー保持壁部と前記カードゲート壁の間にカードゲートカバーが挟まれており、前記カードゲートカバーの端部が前記カバー保持壁部に設けられたスリットに係合している。
【００１３】
この構成により、シールド板にカード保持壁部を設け、カード保持壁部とケースでカードゲートカバーを挟み、カードゲートカバーをカード保持壁部のスリットと係合させており、カードゲートカバーの保持を、シールド板とケースによって実現できる。したがって、部品点数を削減し、製造を容易にできる。また、カードゲートカバーを設けることで、埃の進入による接触不良も防止できる。
【００１４】
また、本発明の携帯端末装置では、前記ケースの外面にケースカバーで覆われ前記カードゲート壁で仕切られた電池収納部と通信基板収納部が並んで設けられており、前記電池収容部から前記カード型記録媒体を挿入するように前記カードゲート壁にカードゲートが設けられており、前記ケースの前記電池収容部の裏側に前記シールド板が取り付けられており、前記ケースの前記カードゲート壁に隣接した開口を通って前記通信基板グランド接続部が前記通信基板に延びている。この構成により、コンパクトな構成でもって、電池と通信装置とカード型記録媒体を携帯端末装置に装着すると共に、シールド構造、グランド接続構造、静電気対策構造、カードゲートカバー保持構造を実現できる。したがって、コンパクトな構成で多機能な携帯端末装置を提供できる。
【００１５】
また、本発明の携帯端末装置では、前記通信装置のアンテナが前記シールド板と反対に位置するように前記通信装置が前記通信基板に搭載される。この構成により、アンテナへのノイズの影響を低減し、通信能力を向上できる。
【００１６】
また、本発明の別態様はシールド板である。このシールド板は、前記主基板のグランド部に接続される主基板グランド接続部と、前記通信基板のグランド部に接続される通信基板グランド接続部とを有しており、前記通信基板グランド接続部が、前記通信基板に向けて延びて前記通信基板を押圧する板ばね片で構成されている。シールド板は、さらに、上述のカード滑走構造およびカバー保持構造を備えてよい。このような構成によっても、上述の本発明の利点が得られる。
【発明の効果】
【００１７】
本発明は、シールド基板から延びる板ばね部分で構成された通信基板グランド接続部を設け、この板ばね部分をシールド基板を通信基板のグランド部に接続しており、これにより、部品点数を削減し、製造を容易にできるという効果を有する携帯端末装置を提供できる。
【発明を実施するための最良の形態】
【００１８】
以下、本発明の実施の形態の携帯端末装置について、図面を用いて説明する。
【００１９】
本発明の実施の形態に係る携帯端末装置を図１および図２に示す。図１は分解図であり、図２は外観の斜視図である。本実施の形態では、携帯端末装置１が、宅配便の作業者に使用される携帯端末である。ただし、本発明は、宅配作業者用の携帯端末装置に限定されなくてよい。
【００２０】
携帯端末装置１は、手に持ちやすい薄型で細長い形状のケース３を有している。ケース３は、第１ケース５（上ケース）と第２ケース７（下ケース）の２つの半部に分割されており、これらがねじで締結されている。図では、第１ケース５が下にあり、第２ケース７が上にある。そして、第２ケース７の上にはさらにケースカバー９が取り付けられている。図示されないが、第１ケース５の下面には、各種の操作ボタンおよび小型ディスプレイが備えられている。ここでは、図２における上面側をカバー側といい、下面側を操作面側という。また、図２における手前側を頭部といい、奥側を基端側という。使用時は、基端側の略半部が図２の上側から手で持たれる。ケース３の頭部は保護緩衝カバーで覆われている。また、頭部のカバー面側には読取窓が設けられており、読取窓の内側にはコード読取機が配置されていて、伝票などのバーコード、２次元コード、あるいは画像が読みとられる。
【００２１】
第１ケース５および第２ケース７は樹脂製である。第１ケース５と第２ケース７の間には主基板１１が収容されている。主基板１１は、携帯端末装置１の各種機能を制御する基板である。第２ケース７の外側面には電池収納部１３と通信基板収納部１５が並んで設けられている。電池収納部１３および通信基板収納部１５はどちらもケース外面の凹部であり、電池収納部１３が基端側にあり、通信基板収容部１５が頭部側にあり、両収容部１３、１５は、隔壁であるカードゲート壁１７により仕切られている。
【００２２】
電池収容部１３には電池パック（図示せず）が収容され、電池パックは取外し可能である。一方、通信基板収容部１５には通信基板２１が収容されており、通信基板２１は第２ケース７を挟んで主基板１１と平行に配置されている。
【００２３】
通信基板２１の上面には、通信カードスロット２３が備えられている。通信カードスロット２３には、携帯電話等の通信機能を持った通信カード（図示せず）が装着される。通信カードは例えばＣＦカード規格のカードである。通信カードが頭部側から挿入されるように通信カードスロット２３が備えられている。通信カードは通信装置の一例であり、上記構成により通信装置が通信基板２１に搭載される。
【００２４】
通信基板２１は、通信基板収容部１５にねじで固定されている。また、通信基板２１と主基板１１は、テープ状のフレキシブルプリント配線板（ＦＰＣ）（図示せず）で電気的に接続されている。ＦＰＣは、カードゲート壁１７に隣接して通信基板収容部１５の下面に開けられた開口を通り抜けている。ＦＰＣの一端が主基板１１のコネクタ２５に接続されており、他端が通信基板２１の下面のコネクタに接続されている。
【００２５】
通信カードを脱着するときは、通信基板２１の固定ねじが緩められて、通信基板２１が持ち上げられる。そして、カードスロット２３に通信カードが取り付けられ、あるいは、カードスロット２３から通信カードが取り外される。
【００２６】
通信基板２１は、さらに、カード型記録媒体のためのカード装着部２７を備えている。本実施の形態では、カード型記録媒体がメモリーカード２９であり、より詳細にはｍｉｎｉＳＤカードである。カード装着部２７は通信基板２１の下面（通信カードスロット２３と反対側の面）に備えられている。
【００２７】
カード装着部２７のカード装着口３１は、通信基板２１の手前側の端部に位置しており、カードゲート壁１７（通信基板収容部１５と電池収容部１３の隔壁）を向いている。カードゲート壁１７にはカードゲート３３が設けられており、カードゲート３３は横長の開口である。メモリーカード２９は、電池収納部１３からカードゲート３３を通ってカード装着口３１に達し、カード装着部２７に装着される。カードゲート３３は、樹脂製のカードゲートカバー３５で塞がれる。
【００２８】
ケースカバー９は、電子収容部１３と通信基板収容部１５を覆っている。ケースカバー９は、電池カバー３７とカードカバー３９で構成されている。電池カバー３７が電池収容部１３を覆っており、カードカバー３９が通信基板収容部１５を覆っている。
【００２９】
電池カバー３７とカードカバー３９はヒンジ構造によって互いに回動可能に結合されている。カードカバー３９はねじで第２ケース７に取り付けられる。この状態で、電池カバー３７を回動して、電池収容部１３を開閉し、電池パックを出し入れすることができる。通信基板収容部１５を開けるときは、カードカバー３９の取付ねじが外される。
【００３０】
次に、本実施の形態の特徴的構成であるシールド板５１について説明する。シールド板５１は、主基板１１の被シールド領域５３を覆い、通信機能へのノイズの影響を低減している。シールド板５１について説明する前に、まず、通信機能向上のためのノイズ低減について説明する。
【００３１】
主基板１１には、ノイズの原因になるＬＳＩ等の部品、例えばＣＰＵが搭載されている。こうした部品のノイズが通信カードの通信に悪影響を及ぼす。ノイズの影響を低減するためには、ノイズ要因を通信機能から遠ざけることと、ノイズ要因をシールドすることが効果的である。
【００３２】
ノイズ要因と通信機能を遠ざけるために、通信カードを頭部側から挿入するように通信カードスロット２３が備えられており、通信カードのアンテナ（図示せず）が頭部付近に位置している。さらに、ＬＳＩ等のノイズ要因が、通信基板２１から遠ざけられて、電池収容部１３の下方に配置され、主基板１１の裏側（第１ケース５側）に搭載されている。このノイズ要因部品の搭載領域が、図中の被シールド領域５３である。被シールド領域５３では、主基板１１が上下面からシールドされている。すなわち、被シールド領域５３では、主基板１１がシールド板でサンドイッチされている。下側のシールド板は図示されないが主基板１１に装着されている。被シールド領域５３の上面はシールド板５１によってシールドされている。
【００３３】
シールド板５１は、ステンレス鋼板製のプレス部品であり、下面に絶縁シートが貼られている。シールド板５１は、被シールド領域５３を覆う位置で、第２ケース７の下面に接着されている。シールド板５１は、略四角形である。シールド板５１の周囲の縁部が主基板１１に向けて折れ曲がり、縁壁部５５を形成している。縁壁部５５は、被シールド領域５３の周囲で、主基板１１上のグランド領域（アース領域）に接する。
【００３４】
シールド板５１は、３つの主基板グランド接続部５７を有している。１つの主基板グランド接続部５７が通信基板側の端部に設けられ、残りの２つの主基板グランド接続部５７が反対側の端部の両サイドに設けられている。各主基板グランド接続部５７は、シールド板５１から横方向に突き出した板ばね片（板ばね端子）であり、弾性変形して板ばねとして機能する。各主基板グランド接続部５７に対応する位置で、主基板１１にグランド接続端子５９が実装され、突出している。各主基板グランド接続部５７が板ばねの作用で各グランド接続端子５９に接触し、弾性変形し、各グランド接続端子５９を押圧している。これにより、シールド板５１が主基板１１のグランドに接続されている。
【００３５】
図３は、カードゲート壁１７部分（シールド板５１の通信基板側端部）にて携帯端末装置１を切断した断面図である。図１と共に図３を参照して、シールド板５１についてさらに説明する。
【００３６】
通信基板側端部では、シールド板５１が上方に折れ曲がって、カバー保持壁部６１を形成している。より詳細には、シールド板１５の通信基板側の端部は、まず、下に折れ曲がって縁壁部５５を形成し、それから外側に折れ曲がって少し進み、カードゲート壁１７の下を過ぎてから上側に折れ曲がり、カバー保持壁部６１を形成している。したがって、カバー保持壁部６１は、カードゲート壁１７の通信基板側に位置しており、カードゲート壁１７に沿って上に延びている。
【００３７】
カバー保持壁部６１とカードゲート壁１７の間には、カードゲートカバー３５の被保持部６３が挟まれて、保持されている。被保持部６３はカードゲートカバー３５の下半部である。カードゲートカバー３５の上半部は、カードゲート３３を覆っている。カードゲートカバー３５の下端には、シールド板１５のカバー保持壁部６１に向かって突出した横長の係合リブ６５が設けられている。この係合リブ６５が、カバー保持壁部６１に設けられた横長のスリット６７に係合しており、これによりカードゲートカバー３５の抜けが防止されている。
【００３８】
カバー保持壁部６１の上端は、カード装着口３１に向かって折れ曲がり、カード滑走板６９（カード滑走面）を形成している。カード滑走板６９は、カード装着口３１の下面およびカードゲート３３の下部とほぼ同じ高さにある。メモリーカード２９が装着されるとき、カード滑走板６９の上を滑走する。これにより、メモリーカード２９がカード装着口３１へ導かれる。また、カード装着前に、グランドに接続されたシールド板１５にメモリーカード２９が接触するので、静電気による故障が防止される。
【００３９】
カード滑走板６９の端部は下方に折れ曲がり、滑走板支持壁７１を形成している。滑走板支持壁７１の端部は主基板１１に達している。滑走板支持壁７１は、カード滑走板６９が下方に撓まないように支持している。カード保持壁６１および滑走板支持壁７１の下端が主基板１１に接しており、カバー保持壁６１、カード滑走板６９および滑走板支持壁７１によって「コ」の字型の構造が形成されており、カード滑走板６９の変形が効果的に防止されている。
【００４０】
シールド板１５は、さらに、カード滑走板６９の両側に、通信基板グランド接続部７３を有している。通信基板グランド接続部７３は、シールド板１５の一部であって、リールド板１５から突出する帯状の板ばね片（板ばね端子）である。通信基板グランド接続部７３は、カード滑走板６９の両側で、シールド板１５の通信基板側の端部から通信基板２１へ向けて斜め上方に突出している。
【００４１】
通信基板収容部１５の下面には、カードゲート壁１７に隣接して開口７５が設けられている。通信基板グランド接続部７３は、開口７５から通信基板収容部１５の内部へと斜め上に延びて進入している。なお、通信基板２１と主基板１１を接続するＦＰＣも開口７５を通り抜ける。
【００４２】
そして、通信基板グランド接続部７３は、通信基板収容部１５に収容された通信基板２１の下面に接触し、弾性変形して、通信基板２１を下方から押圧している。通信基板２１には、カード装着部２７の両脇にグランド領域を有している。両側の通信基板グランド接続部７３が、カード装着部２７の両脇のグランド領域にそれぞれ接触する。このようにして、通信基板２１のグランドがシールド板１５を経由して主基板１１のグランドと接続されている。
【００４３】
以上に本実施の形態に係る携帯端末装置１の構成を説明した。次に、携帯端末装置１の動作を説明する。ここでは、通信カード装着時の動作と、メモリカード装着時の動作を説明する。
【００４４】
通信カードを装着するときは、カードカバー３９の取付ねじが外され、カードカバー３９が第２ケース７から外される。これにより、通信基板収納部１５の通信基板２１が露出する。さらに、通信基板２１の取付ねじが外され、通信基板２１が通信基板収納部１５から取り出される。このとき、通信基板２１と主基板１１はＦＰＣによって接続されたままである。この状態で通信基板２１の通信カードスロット２３に通信カードが挿入され、通信カードのコネクタとスロット内のコネクタが接続される。
【００４５】
次に、通信基板２１が通信基板収納部１５内に戻され、第２ケース７に取付ねじで固定される。このとき、通信基板２１が、シールド板５１から通信基板収納部１５内に突出した通信基板グランド接続部７３に乗り、通信基板グランド接続部７３を下方に撓ませる。通信基板グランド接続部７３は、通信基板２１の下面のグランド領域に接触する。シールド板５１の主基板グランド接続部５７は主基板１１のグランド接続端子５９に既に接触している。したがって、通信基板２１を取り付けると、通信基板２１と主基板１１のグランドがシールド板５１を介して接続される。これにより、通信ユニットのグランド接続が確保され、ノイズ、静電気による誤動作、破壊が防止される。さらに、カードカバー３９が通信基板収納部１５を覆うように配置され、取付ねじで第２ケース７に固定される。
【００４６】
次に、メモリーカード２９の装着時の動作を説明する。この場合、まず、電池カバー３７がカードカバー３９に対して回動されて、電池収納部１３が開かれ、電池パックが取り外される。これにより、電池パックに隠れたカードゲート３３のカードゲートカバー３５が露出する。そして、カードゲートカバー３５が手前に倒される。この際、カードゲートカバー３５の下半部の被保持部６３が、ケース３（下ケース７）のカードゲート壁１７とシールド板５１のカバー保持壁部６１との間に挟まれて保持されており、さらに、被保持部６３の下端の係合リブ６５がカバー保持壁部６１のスリット６７に係合している。したがって、カードゲートカバー３５が外れることなく、カードゲートカバー３５の上半部が手前に折れて、カードゲート３３が露出する。
【００４７】
続いて、メモリーカード２９が電池収納部１３からカードゲート３３に挿入される。このとき、メモリーカード２９は、カード装着口３１に至る前に、シールド板５１のカード滑走板６９の滑走面を滑り、滑走面にガイドされる。すなわち、メモリーカード２９は、カード装着口３１の手前でシールド板５１に接触する。シールド板５１の主基板グランド接続部５７は主基板１１のグランド接続端子５９に接触している。したがって、メモリーカード２９は、滑走面を滑走するときに、シールド板５１を介して主基板１１のグランドに一時的に接続される。装着前のグランド接続により、静電気による故障が回避される。メモリーカード２９は、カード滑走板６９を滑走してからカード装着口３１に進入し、メモリーカード２９の端部のコネクタがカード装着部２７の奥のコネクタに接続される。
【００４８】
メモリーカード２９が装着されると、カードゲートカバー３３が閉じられる。カードゲートカバー３３によりカード装着部２７への埃の進入とそれによる接触不良が防止される。電池パックが頻繁に出し入れされた場合でも、接触不良等の問題を回避できる。カードゲートカバー３３が閉じた後、電池パックが挿入され、電池カバー３７が閉じられる。
【００４９】
以上に本実施の形態に係る携帯端末装置１について説明した。本実施の形態によれば、シールド基板５１から通信基板２１へ延びる板ばね部分で構成された通信基板グランド接続部を設け、この板ばね部分を通信基板２１のグランド部に接続しており、これにより、通信基板２１のグランド接続構造がシールド基板５１によって実現され、したがって、部品点数を削減し、製造を容易にできる。
【００５０】
また、本実施の形態では、通信基板２１がカード装着部２９を備え、カード装着部２９が、シールド板側にカード装着口３１を有している。そして、シールド板５１の通信基板側の端部が通信基板２１へ向けて屈曲して、カード滑走板６１をカード装着口３１の手前に形成している。このようにして、カード滑走板６９がシールド板５１の一部に設けられ、カード記録媒体がカード滑走板６１によりカード装着口３１へガイドされる。また、カード型記録媒体が装着直前にシールド板５１に接触し、これにより静電気による故障が防止される。カードガイド構造および静電気による故障の防止構造がシールド板５１によって実現されるので、部品点数を削減し、製造を容易にできる。
【００５１】
また、本実施の形態では、ケース３がカード装着口部分にカードゲート壁１７を有している。シールド板５１は、カード滑走板６９とシールド領域の間にカードゲート壁１７に沿ったカバー保持壁部６１を有している。カバー保持壁部６１とカードゲート壁１７の間にカードゲートカバー３５が挟まれており、カードゲートカバー３５の端部がカバー保持壁部６１のスリット６７に係合している。このようにして、シールド板５１にカード保持壁部６１を設け、カード保持壁部６１とケース３でカードゲートカバー３５を挟み、カードゲートカバー３５をカード保持壁部６１のスリット６７と係合させており、カードゲートカバー３５の保持を、シールド板５１とケース３によって実現できる。したがって、部品点数を削減し、製造を容易にできる。また、カードゲートカバー３５を設けることで、埃の進入による接触不良も防止できる。
【００５２】
また、本実施の形態では、ケース３の外面にケースカバー９で覆われカードゲート壁１７で仕切られた電池収納部１３と通信基板収納部１５が並んで設けられている。電池収容部１３からカード型記録媒体を挿入するようにカードゲート壁１７にカードゲート３３が設けられている。シールド板５１はケース３の電池収容部１３の裏側に取り付けられている。そして、ケース３のカードゲート壁１７に隣接した開口７５を通って通信基板グランド接続部７３が通信基板２１に延びている。この構成により、コンパクトな構成でもって、電池と通信装置とカード型記録媒体を携帯端末装置１に装着すると共に、シールド構造、グランド接続構造、静電気対策構造、カードゲートカバー保持構造を実現できる。したがって、コンパクトな構成で多機能な携帯端末装置１を提供できる。
【００５３】
また、本実施の形態では、通信装置のアンテナがシールド板と反対に位置するように通信装置が通信基板２１に搭載されており、この構成により、アンテナへのノイズの影響を低減し、通信能力を向上できる。
【００５４】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５５】
以上のように、本発明にかかる携帯端末装置は、部品点数を削減し、製造を容易にできるという効果を有し、宅配便用携帯端末装置等として有用である。
【図面の簡単な説明】
【００５６】
【図１】本発明の実施の形態における携帯端末装置の分解斜視図
【図２】本発明の実施の形態における携帯端末装置の斜視図
【図３】本発明の実施の形態における携帯端末装置の要部断面図
【符号の説明】
【００５７】
１  携帯端末装置
３  ケース
５  第１ケース
７  第２ケース
９  ケースカバー
１１  主基板
１３  電池収納部
１５  通信基板収納部
１７  カードゲート壁
２１  通信基板
２３  通信カードスロット
２７  カード装着部
２９  メモリーカード
３１  カード装着口
３３  カードゲート
３５  カードゲートカバー
３７  電池カバー
３９  カードカバー
５１  シールド板
５３  被シールド領域
５５  縁壁部
５７  主基板グランド接続部
５９  グランド接続端子
６１  カバー保持壁部
６３  被保持部
６５  係合リブ
６７  スリット
６９  カード滑走板
７１  滑走板支持壁
７３  ばね端子
【図１】
2006319854.tif 000003
【図２】
2006319854.tif 000004
【図３】
2006319854.tif 000005